(57)【要約】      （修正有）【課題】作業を安全なものにして固定式足場を補助する建設足場の手すり先行構造の提供。【解決手段】建設足場の手すり先行構造は、固定式足場上に設置するもので、両側面板を具える連接板１０、連接板の一側面板に設置する固定装置２０、連接板の後側に設置する一組のスリーブ３０、連接板の側面辺縁に設置する一掛着装置４０、スリーブ内に嵌入する手すり桿５０を含む。上述の構造により、掛着装置を固定式足場の水平桿に掛合する。同時にネジで連接板と固定式足場の垂直桿をネジ固定し、固定式足場及び建設足場の手すり先行構造の二者の結合を完成し、その後手すり桿をスリーブ内に嵌入する。【選択図】図１
0003142110.tif 000002
【実用新案登録請求の範囲】
【請求項１】
建設足場の手すり先行構造において、
その両側にそれぞれ長側面板及び短側面板を具える連接板と、
連接板の長側面板に設置する固定装置と、
連接板の後側に設置する一組のスリーブと、
連接板の長側面板の辺縁に設置する掛着装置と、
対のスリーブの底部に設置する定位部品を含み、
掛着装置は固定式足場の水平桿に掛合し、固定装置は連接板を固定式足場の垂直桿側にネジ止めすることを特徴とする建設足場の手すり先行構造。
【考案の詳細な説明】
【技術分野】
【０００１】
本考案は、建設足場の手すり先行構造に関するもので、特に建設現場の足場に対して公共安全を高める装置を設置するもので、一対のスリーブを設置して手すり桿に提供するものである。
【背景技術】
【０００２】
建設現場に於いて、作業員は通常足場を設置して建築作業を行う。また足場の良し悪しは作業員に係るため、一般の固定式足場の他に、作業を安全なものにするため、足場に手すり構造を設置して固定式足場を補助する。
【０００３】
一般に固定式足場の場合、作業員はかなり高い足場に立たなければならならず、長時間の労働で体も疲れやすい。一瞬でも平衡感覚を失えば、墜落事故が起こり、所謂公共安全での事故が発生する。一般に固定式足場を設置する時、より安全な策をの考慮を提供することができないため、その潜在的危険度に対して本考案で早急な問題を解決しなければならない。
【考案の開示】
【考案が解決しようとする課題】
【０００４】
上述の公知技術の欠点を解決するため、本考案は建設足場の手すり先行構造を提供し、それは主に安全性から一手すり構造設置し、多数個の支持点を増やし、体の力を平均化する。作業員が施工する時、この手すり桿を握り、便利性、安全性を高めて事故の発生率を下げることを目的とする。
【０００５】
上述の目的のため、本考案では建設足場の手すり先行構造を提供し、それは一固定式足場上に設置し、
両側面板を具える連接板と、
連接板の側面板に設置する固定装置と、
連接板の後側に設置する一組のスリーブと、
連接板の側面板辺縁に設置する掛着装置と、
対のスリーブ内に嵌入する手すり桿を含む。
【０００６】
上述の構造により、掛着装置を固定式足場の水平桿に掛合し、同時にネジで連接板と固定式足場の垂直桿をネジ止めして固定し、固定式足場及び建設足場の手すり先行構造二者の結合を完成する。そして手すり桿を対のスリーブ内に嵌入する。そのうち、良好な例として、連接板の一側面の短側面板の長さは別一側の長側面板の長さの三分の一とする。良好な例として、固定装置はネジとする。良好な例として、この対のスリーブの底部には強化部品を設置する。良好な例として、掛着装置は一掛鉤とする。良好な例として、手すり桿は、水平桿と、対のスリーブに嵌入する垂直桿と、水平桿と垂直桿を連結するベアリングユニットを含む。
【課題を解決するための手段】
【０００７】
請求項１の考案は、建設足場の手すり先行構造において、
その両側にそれぞれ長側面板及び短側面板を具える一連接板と、
連接板の長側面板に設置する固定装置と、
連接板の後側に設置する一組のスリーブと、
連接板の長側面板の辺縁に設置する掛着装置と、
対のスリーブの底部に設置する定位部品を含み、
掛着装置は固定式足場の水平桿に掛合し、固定装置は連接板を固定式足場の垂直桿側にネジ止めすることを特徴とする建設足場の手すり先行構造としている。
【考案の効果】
【０００８】
本考案の建設足場の手すり先行構造は、作業を安全なものにして固定式足場を補助するという利点がある。
【考案を実施するための最良の形態】
【０００９】
図１、図２及び図３は、本考案の立体外観概略図及び前面構造図である。本考案の建設足場の手すり先行構造は、固定式足場上に設置して、その構造は以下を含む。連接板１０は、その両側に側面板を具えて連接し、その両側面板は長さに差がある。一側の短側面板１２の長さは別一側の長側面板１１の長さの三分の一で、その両側の間は納置空間が形成され、足場の垂直桿をその空間に入れてしっかりと固定する。仮に手すり先行装置設置箇所が両足場の垂直桿と隣り合う箇所である場合、連接板１０の幅設計を広くする（例として図３参照）。固定装置２０は、連接板１０の長側面板１１に設置し、その固定装置２０を設置する側面板は長さの長い長側面板１１でなければならない。そのうち、固定装置は連接板をネジとするが、及び、もしくは足場の垂直桿にしっかりと固定する装置であればよい。一組のスリーブ３０は、連接板１０の後側に設置し、その一組のスリーブ３０の間には強化部品３１を溶接し、スリーブ３０と連接板１０の連結強度を高め、その一組のスリーブ３０と連接板１０の結合箇所に応力が集中するのを防止する。この一組のスリーブ３０下方には定位部品３２を設置し、手すり桿をスリーブ内に入れて予定位置に設置する。掛着装置４０は、連接板の長側面板１１の厚み箇所に設置し、更に手すり桿５０はスリーブ内に挿入する。
【００１０】
図４に示すのは、本考案の建設足場の手すり先行構造及び手すり桿を足場に設置する概略図である。上述の構造に示すとおり、掛着装置４０は足場水平桿６１に掛着し、足場垂直桿６２を連接板１０と両側面板に形成された納置空間内に入れ、固定装置２０で手すり先行構造を足場垂直桿６２上に固定し、足場の手すり先行構造及び固定式足場の二者の結合を完成する。その後、手すり桿５０の一端を建設足場の手すり先行構造のスリーブ３０上端開口の上から下へ差し込み、スリーブ内の定位部品３２まで入れ、次に手すり桿５０の別端を別の建設足場の手すり先行構造のスリーブ３０上端開口の上から下へ差し込み、スリーブ内の定位部品３２へ入れ、ネジもしくは差込ピンで二者を固定することにより、作業員の手すりとなる。
【００１１】
図５に示すのは、本考案の手すり桿の立体外観概略図であり、それは水平桿５１、垂直桿５２、ベアリングユニット５３を含む。垂直桿５２は、スリーブ内に入れる。ベアリングユニット５３は水平桿５１と垂直桿５２を連結する。この水平桿５１と垂直桿５２はベアリングユニット５３により連動機構を形成し、その連動機構は回転自在で、水平桿を回転させ、垂直桿を平行にして収納状態を形成する。図６に示すとおり、この収納状態により、作業員は携帯しやすく、体積を小さくすることにより、運搬上の困難を克服する。
【図面の簡単な説明】
【００１２】
【図１】本考案の立体外観概略図である。
【図２】本考案の前面構造図である。
【図３】本考案の前面構造図である。
【図４】本考案の建設足場の手すり先行構造及び手すり桿を足場に設置する概略図である。
【図５】本考案の手すり桿立体外観概略図である。
【図６】本考案の手すり桿収納概略図である。
【符号の説明】
【００１３】
１０  連接板
１１  長側面板
１２  短側面板
２０  固定装置
３０  スリーブ
３１  強化部品
３２  定位部品
４０  掛着装置
５０  手すり桿
５１  水平桿
５２  垂直桿
５３  ベアリングユニット
６１  足場水平桿
６２  足場垂直桿
【図１】
0003142110.tif 000003
【図２】
0003142110.tif 000004
【図３】
0003142110.tif 000005
【図４】
0003142110.tif 000006
【図５】
0003142110.tif 000007
【図６】
0003142110.tif 000008